(57)【要約】【課題】液移流管の下部開口に配した担体流出防止部材（スクリーン）が閉塞しにくく、また、液移流管の底部に汚泥を堆積させない構造の好気処理槽を提供する。【解決手段】槽内に流動性担体３を充填し、槽内次槽寄りに、処理済み液を次槽へ移流させる液移流管８を立設し、槽内下部には、空気吐出によって液旋回流を生じさせる散気管４を設け、液移流管８の下部側壁部には、液旋回流の向きに略垂直となるように開口部６を設け、その開口部６には、液を通すが流動性担体３を通さない担体流出防止部材７ｃ、７ｄを配して、汚水浄化槽用の好気処理槽１０とする。【選択図】図１
2004337662.tif 000002
【特許請求の範囲】
【請求項１】
槽内に流動性担体を充填し、
槽内次槽寄りに、処理液を次槽へ移流させる液移流管を立設し、
槽内下部には、空気吐出によって液旋回流を生じさせる散気部材を設け、
前記液移流管の下部側壁部には、液旋回流の向きに略垂直となるように開口部を設け、
前記開口部には、液を通すが流動性担体を通さない担体流出防止部材を配してなる好気処理槽。
【請求項２】
担体流出防止部材を配した開口部の近傍で前槽寄りにドラフトチューブを立設し、
前記開口部と前記ドラフトチューブとの間に散気部材を配してなる、請求項１の好気処理槽。
【請求項３】
液移流管の下部側壁部に第一の開口部を設け、
前記第一の開口部の上方に庇状邪魔板を液移流管側壁から外方へ張り出すように設け、
前記第一の開口部の下方の液移流管の下部側壁部には、第二の開口部を設け、
前記いずれの開口部にも、液を通すが前記担体を通さない担体流出防止部材を配し、
前記庇状邪魔板の下方に散気部材を配してなる、請求項１の好気処理槽。
【請求項４】
請求項１〜３のいずれかの好気処理槽を組み込んだ汚水浄化槽。
【発明の詳細な説明】
【０００１】
【発明の属する技術分野】
本発明は、し尿やその他の生活排水、あるいはこれらの合併排水（単に、汚水ともいう）を生物化学的に処理するための好気処理槽、及びこれを組み込んだ汚水浄化槽に関する。
【０００２】
【従来の技術】
汚水浄化槽における好気処理槽として、図５に示すような、比較的小形状の微生物付着材３を槽内に充填し、槽底部から散気し、酸素を供給すると同時に微生物付着材３を流動させて、汚水と微生物付着材３とを積極的に接触させて好気処理する流動床槽３０は、従来から知られている（特許文献１参照）。
【０００３】
この流動床槽３０は、四方を囲んで垂直な外郭１と底板２とからなる槽であり、槽内に流動可能な微生物付着材３を充填し、槽内底部には空気を供給する散気管４を配している。また、外郭１の上部には導入口５を設け、その導入口５と反対側の外郭１の下部には出口２７を設けていて、これには液移流管８を接続し、導入口５及び出口２７には、流動性担体３が流出しないように、それぞれスクリーン７ａ、７ｂを設けている。汚水は、導入口５から槽内を下向流で流れ、出口２７を通って液移流管８を上昇し、液移流管上部の開口９から次槽へ向かう。
【０００４】
【特許文献１】
特開平６−１９０３８４号公報、図１
【０００５】
【発明が解決しようとする課題】
しかし、上記流動床槽３０では、液移流管８の下部開口２７に配したスクリーン７ｂにＳＳ（生物膜；浮遊懸濁物）が付着・成長し、これが閉塞しやすく、そのために、液移流管８内の下部でＳＳが堆積し、ついには腐敗ガスが発生し、あるいは堆積物がスカムとなって浮上して次槽に流入し、水質を悪化させやすい。本発明の目的は、これらの問題を解決することであり、液移流管８の下部開口２７に配したスクリーン７ｂが閉塞しにくく、また、液移流管８の底部に汚泥を堆積させない構造の好気処理槽を提供することである。
【０００６】
【課題を解決するための手段】
上記目的を達成するため、本発明では次の構成をとった。すなわち、本発明は、
槽内に流動性担体３を充填し、槽内次槽寄りに、処理液（処理済み液）を次槽へ移流させる液移流管８を立設し、槽内下部には、空気吐出によって液旋回流を生じさせる散気部材（散気管）４を設け、
液移流管８の下部側壁部には、液旋回流の向きに略垂直となるように開口部６を設け、
その開口部６には、液を通すが流動性担体３を通さない担体流出防止部材（７；７ｃ、７ｄ）を配してなることを特徴とする好気処理槽１０である。
なお、液移流管８の下部側壁部に設ける「開口部」は、液移流管８を加工（穿孔）することで開口させても、液移流管の下端を底面にまで下ろさないで、その液移流管の下端と底面との間隙部を利用してもよい。
【０００７】
上記好気処理槽１０において、担体流出防止部材（７；７ｃ、７ｄ）を配した開口部の近傍で前槽寄りにドラフトチューブ１４を立設し、その開口部とドラフトチューブ１４との間に散気部材（散気管）４を配することもできる。
【０００８】
また、上記好気処理槽１０において、液移流管８の下部側壁部に第一の開口部を設け、
その第一の開口部の上方に庇状邪魔板１２を液移流管側壁から外方へ張り出すように設け、
第一の開口部の下方の液移流管８の下部側壁部には、第二の開口部を設け、
第一及び第二のいずれの開口部にも、液を通すが担体３を通さない担体流出防止部材（７；７ｅ、７ｆ）を配し、そして
庇状邪魔板１２の下方に散気部材（散気管）４を配することもできる。
【０００９】
【作用】
ブロワ２６を運転し、好気処理槽１０の槽内中心部から導入口側寄りに偏芯して槽底部に直線状に配置した散気管４から空気（酸素）を供給すると、空気泡が槽内を上昇するとともに、流動性担体３は流動しながら槽内液の撹乱が起こる。そうすると、好気処理槽１０内では全体としては矢印で示すような（概ねの）液旋回流が生じ、液移流管８の下部では液流が複雑・不規則に乱れる。その乱れた複雑・不規則な液流により、液移流管８下部の担体流出防止部材（スクリーン）７、７ｃ／７ｄは閉塞しにくく、担体流出防止部材（スクリーン）を配した開口部付近においても、ＳＳの堆積が起こりにくい（図１参照）。
【００１０】
【発明の実施の形態】
以下に図面を参照して、本発明を更に具体的に説明する。
図１は、本発明の第１実施例の好気処理槽である。好気処理槽１０は、略四角箱型（平面視四角形）であり、側壁上部（図では左側）に汚水の導入口５が設けられている。また、導入口５と反対側（図では右側）の槽内には、角状の液移流管８を立設させており、液移流管８の下部における二面、すなわち、その下部前槽側と下部次槽側とにそれぞれ（前面側）液移流管下部開口部及び（背面側）液移流管下部開口部を設け、いずれの開口部にも、汚水は通すが流動性担体３は通さない担体流出防止部材（スクリーン）７ｃ，７ｄを配している。液移流管８に流入した液は、液移流管８を上昇して上端の液流出口９から次槽へ移流する。
【００１１】
なお、好気処理槽１０の形状は、平面視四角形に代えて円形とすることもできる。ただ、汚水浄化槽への組み込みやすさを考えると、好ましくは、四角形である。
【００１２】
液移流管８は、平面視四角形に代えて平面視円形、半円形、三角形等とすることもできる。液移流管８を立設する位置は、流入した汚水が短絡的に流入するのを防止するため、導入口５から遠い反対側の槽内壁付近に配置させることが好ましい。
液移流管８の素材としては、ポリエチレン、ポリプロピレン、ポリ塩化ビニル、ジシクロペンタジエン又はガラス繊維強化プラスチック等の合成樹脂を基材にしたもの等を用いることができる。
【００１３】
また、担体流出防止部材（スクリーン）３としては、多数の孔やスリットが穿けた板状物あるいは網状物で、液移流管に後加工してもよく、開口部に取り付けてもよい。
【００１４】
散気管４の形状は、直線状に配置させる代わりに、円形、三角形、目の字又は口の字状に配置させてもよい。槽内における散気管４は、図１の例では、槽内中心部から導入口側寄りに偏芯して配置させている。槽内全体に旋回流を生じさせ、液移流管８の下部で複雑・不規則な液流を生じさせるためである。
また、液移流管８の下部の開口部は前面側及び背面側の二面としたが、これらの開口部は前面側、背面側及び両側面の四面としてもよい。
【００１５】
次に、上記好気処理槽の変形例を説明する。
図２は、本発明の第２実施例の好気処理槽である。液移流管８の下部開口部の二面は、図１と同様に、前面側と背面側とし、いずれの開口部にも、汚水は通すが流動性担体は通さないスクリーン７ｃ，７ｄを配したが、前面側のスクリーン７ｃを囲うようにドラフトチューブ１４を設け、ドラフトチューブ１４とスクリーン７ｃとの間に散気管４を配している。散気管４から空気を吐出することによって図示するような旋回流が発生するとともに、スクリーン７ｃ、７ｄを配した両開口部付近で、複雑・不規則な液流が生じる。この複雑・不規則な液流により、液移流管８下部のスクリーン７ｃ、７ｄは閉塞しにくく、スクリーン７ｃ、７ｄを配した開口部付近においてもＳＳの堆積が起こりにくい。
【００１６】
図３は、本発明の第３実施例の好気処理槽である。液移流管８は下部にスクリーン７ｅを配した開口部を有しており、そのスクリーン７ｅを配した開口部の上方に庇状邪魔板１２を設けている。また、スクリーン７ｅを配した開口部の一段下方にもスクリーン７ｆを配した別の開口部を設けている。ここで、スクリーン７ｅとスクリーン７ｆとの間に、空気や水を通さない非通水性部分を設けることによって、庇状邪魔板１２の下方の散気管４から出た空気の一部が庇状邪魔板１２によって液移流管８内に入り、図示したような部分的な旋回流が発生するとともに、スクリーン７ｅ、７ｆを配した両開口部付近で、複雑・不規則な液流が生じる。この複雑・不規則な液流により、液移流管下部のスクリーン７ｅ、７ｆは閉塞しにくく、スクリーン７ｅ、７ｆを配した開口部においてもＳＳの堆積が起こりにくい。
【００１７】
次に、上記好気処理槽を組み込んだ汚水浄化槽を図４により説明する。汚水浄化槽１５は、上流側から第１嫌気濾床槽１６、第２嫌気濾床槽１７、好気処理槽１０（流動床槽１８＋液移流管８）、処理水槽１９及び消毒槽２０で構成されている。
【００１８】
第１嫌気濾床槽１６には、汚水流入口２１があり、第１嫌気濾床槽１６と第２嫌気濾床槽１７とは、第２嫌気濾床槽１７底部の液移流口２２でつながっている。なお、第１嫌気濾床槽１６、第２嫌気濾床槽１７は、濾床を形成させた嫌気濾床槽であってもよく、また１槽のみであってもよい。また、流量調整機能を追加することもできる。
【００１９】
好気処理槽１０は、図１の構成のものを配置させているので、詳細の説明は省略する。また処理水槽１９から処理水の一部を第１嫌気濾床槽１６へ返送・循環させる循環用エアリフトポンプ２３を配置させている。循環用エアリフトポンプ２３は、電動ポンプ等の移送手段を用いることもできる。なお、この循環用エアリフトポンプ２３は、取り除くこともできる。
【００２０】
【発明の効果】
本発明の好気処理槽では、散気部材からの散気で生じる液旋回流によって、担体流出防止部材（スクリーン）は閉塞しにくく、また担体流出防止部材（スクリーン）を配した開口部や液移流管底部の液も乱れるので、その付近にＳＳの堆積が起こりにくい。そのため、この好気処理槽を組み込んだ汚水浄化槽では、汚水処理後の水質の安定化が図れる。
【図面の簡単な説明】
【図１】本発明の第１実施例の好気処理槽で、（ａ）は平面図、（ｂ）は（ａ）のＡ―Ａ面における断面図。空気の流れを点線、液の流れを実線で示した。
【図２】本発明の第２実施例の好気処理槽で、（ａ）は平面図、（ｂ）は（ａ）のＡ―Ａ面における断面図。
【図３】本発明の第３実施例の好気処理槽で、（ａ）は平面図、（ｂ）は（ａ）のＡ―Ａ面における断面図。
【図４】図１の好気処理槽を組み込んだ汚水浄化槽の概略構成図。
【図５】従来例の流動床槽の概略断面図（正面側から見たもの）。
【符号の説明】
１：外郭    ２：底板
３：流動性担体（微生物付着材）
４：散気部材（散気管）    ５：導入口
６：液移流管下部側壁部の開口部
７、７ａ〜７ｆ：担体流出防止部材（スクリーン）
８：液移流管    ９：液移流管上部の開口
１０：好気処理槽  １２：庇状邪魔板
１４：ドラフトチューブ
１５：汚水浄化槽  １６：嫌気濾床槽第１室
１７：嫌気濾床槽第２室    １８：流動床槽
１９：処理水槽      ２０：消毒槽
２１：汚水流入口    ２２：液移流口
２３：循環装置    ２６：ブロワ
２７：出口（液移流管の下部開口）
３０：従来の好気処理槽（流動床槽）
【図１】
2004337662.tif 000003
【図２】
2004337662.tif 000004
【図３】
2004337662.tif 000005
【図４】
2004337662.tif 000006
【図５】
2004337662.tif 000007